(57)【要約】【課題】選択的に機能が拡張できる車載用表示装置を提供する。【解決手段】中央情報表示装置１０と、拡張装置２０と、中央情報表示装置１０とは別体の個別機能装置３０とを備える。個別機能装置３０は中央情報表示装置１０の機能を格納するアプリケーションソフトを格納する記憶装置を備える。このアプリケーションソフトを実行するＣＰＵは、中央情報表示装置１０にある場合と、拡張装置２０にある場合と、個別機能装置３０にある場合がある。さらに、個別機能装置がフロントパネルに設置するように拡張装置を配置した。【選択図】図１
2010058643.tif 000002
【特許請求の範囲】
【請求項１】
液晶表示ディスプレイを有し、前記液晶ディスプレイに映像を表示させる中央情報表示装置と、
前記中央情報表示装置とは別体に構成され、前記中央情報装置の機能を拡張する装置群を有する個別機能装置と、
前記中央情報表示装置と前記個別機能装置とを接続する拡張装置と、を備え、
前記拡張装置が、フロントパネルのフロントガラスに対向する面に設置されることを特徴とする車載用表示装置。
【請求項２】
液晶表示ディスプレイを有し、前記液晶ディスプレイに映像を表示させる中央情報表示装置と、
前記中央情報表示装置とは別体に構成され、前記中央情報装置の機能を拡張する装置群を有する個別機能装置と、
前記中央情報表示装置と前記個別機能装置とを接続する拡張装置と、を備え、
前記拡張装置が、前記中央情報表示装置の前記液晶表示ディスプレイの上方であって、コンソールに収まる位置に設置されることを特徴とする車載用表示装置。
【請求項３】
液晶表示ディスプレイを有し、前記液晶ディスプレイに映像を表示させる中央情報表示装置と、
前記中央情報表示装置とは別体に構成され、前記中央情報装置の機能を拡張する装置群を有する個別機能装置と、
前記中央情報表示装置と前記個別機能装置とを接続する拡張装置と、を備え、
前記拡張装置が、前記中央情報表示装置と一体に形成され、前記中央情報表示装置の前記液晶表示ディスプレイの上方に設置されることを特徴とする車載用表示装置。
【発明の詳細な説明】
【技術分野】
【０００１】
本発明は、車載用表示装置に係り、特に選択的に機能が拡張できる車載用表示装置に関する。
【背景技術】
【０００２】
車載用表示装置は高機能化が進んできている。すなわち、車載用表示装置は自動車のおかれた環境を表示する中央情報表示装置として用いられるだけでなく、ラジオやＣＤプレーヤーのコントロールパネルとして利用され、また、カーナビゲーションシステムの表示装置を兼ねることもある。さらに、テレビジョン受像機の表示パネルとして利用されることもある。
【０００３】
従来の車載用表示装置は、これらの複数の機能をあらかじめ組み込んだ状態で構成されていた（例えば、特許文献１、図１）。
【０００４】
特許文献１に記載の技術などにみられる従来の車載用表示装置においては、一部のユーザにとって不要な機能も分離不可能な状態に構成されている。このため、これらのユーザにとっては、従来の車載用表示装置の価格は割高なものとなっていた。
【０００５】
一方、車載用表示装置に関する新たな技術が開発されても、これをユーザが既に購入した車載用表示装置に追加することは不可能であり、結果的に新技術を欲するユーザは車載用表示装置を買い替えなければならなかった。
【特許文献１】特開２００８−１４３５２０号公報
【発明の開示】
【発明が解決しようとする課題】
【０００６】
そこで、出願人らは上記のような問題点に鑑みて選択的に機能が拡張できる車載用表示装置を発明した。この車載用表示装置は映像を表示させる中央情報表示装置と、中央情報表示装置とは別体に構成され、中央情報装置の機能を拡張する装置群を有する個別機能装置と、中央情報表示装置と個別機能装置とを接続する拡張装置と、を備える。
【０００７】
しかし、自動車の運転席周りのスペースは限られており、設置場所に制限がある。また、電波を受信する個別機能装置もあり、これらの個別機能装置は電波を受信しやすい位置に設置する必要がある。さらに、個別機能装置の取り付けや取り外しを行うのは一般ユーザであるため、着脱の用意な位置に拡張装置を設置する必要がある。
【０００８】
本発明はこの車載用表示装置に係り、個別機能装置が電波を受信しやすく、しかも個別機能装置の着脱操作が行いやすい車載用表示装置を提供することを目的とする。
【課題を解決するための手段】
【０００９】
この目的を達成するために本発明は、液晶表示ディスプレイを有し、液晶ディスプレイに映像を表示させる中央情報表示装置と、中央情報表示装置とは別体に構成され、中央情報装置の機能を拡張する装置群を有する個別機能装置と、中央情報表示装置と個別機能装置とを接続する拡張装置と、を備え、自動車のフロントパネルに組み込まれたことを特徴とする車載用表示装置を提供する。
【発明の効果】
【００１０】
本発明によれば、個別機能装置が電波を受信しやすく、しかも個別機能装置の着脱操作が行いやすい車載用表示装置を提供することができるという効果がある。
【発明を実施するための最良の形態】
【００１１】
以下、本発明による車載用表示装置の一実施の形態を、図面を用いて詳細に説明する。本発明の車載用表示装置は自動車やバスやオートバイなどの車両に設置される。本発明の車載用表示装置は予め自動車などのフロントパネルに組み込まれていてもよく、また、フロントパネルとは別体に構成されて後から自動車などに設置されてもよい。以下、詳細に説明する。
【００１２】
（第１の実施形態）
図１は、本発明の車載用表示装置の第１の実施形態における構成を示す概要図である。図１に示すように、本実施形態の車載用表示装置は、中央情報表示装置１０と、拡張装置２０と、個別機能装置３０とを備える。
【００１３】
中央情報表示装置１０は予め自動車などのフロントパネルに組み込まれていてもよく、また、フロントパネルとは別体に構成されて後から自動車などに設置されてもよい。中央情報表示装置１０は、ＬＣＤ（液晶ディスプレイ）１０１と、高性能ＣＰＵ１０２と、記憶装置であるＲＡＭ１０３及びＲＯＭ１０４と、汎用シリアル通信バスであるＵＳＢ（ユニバーサルシリアルバス）を制御するＵＳＢホストコントローラ１０５と、著作権保護可能なＳＤカードメモリを制御するＳＤＳＤホストコントローラ１０６と、を備える。
【００１４】
ＬＣＤ１０１高性能ＣＰＵ１０２からのＶＧＡ信号を受け入れて映像を表示画面に表示する。また、ＬＣＤ１０１にはタッチパネルが設けられており、このタッチパネルからの入力は高性能ＣＰＵ１０２に入力する。
【００１５】
高性能ＣＰＵ１０２は、後述する個別機能装置３０の各種アプリケーションを実行できる程度な性能を有する。ＲＡＭ１０３はＳＤＲＡＭ（シンクロナスＤＲＡＭ）を用いることができる。ＲＯＭ１０４はＦｌａｓｈ  ＲＯＭを用いることができる。ＵＳＢホストコントローラ１０５はＵＳＢ以外の汎用シリアル通信バスのコントローラでもよい。
【００１６】
拡張装置２０は、ＵＳＢ  ＨＵＢ２０１を備える。このＵＳＢ  ＨＵＢ２０１は中央情報表示装置１０のＵＳＢホストコントローラ１０５に接続されている。なお、拡張装置２０は中央情報表示装置１０と一体に構成されていても別体に構成されていてもよい。ＵＳＢ  ＨＵＢ２０１は複数のＨＵＢポートを備える。
【００１７】
個別機能装置３０は、中央情報表示装置１０及び拡張装置２０と別体に構成されている。個別機能装置３０は拡張装置２０に着脱可能に構成されている。個別機能装置３０と拡張装置２０とはＵＳＢなどの汎用シリアル通信バスによって接続される。個別機能装置３０と拡張装置とを接続するジャックの形状は、通常のＵＳＢなどの汎用シリアル通信バスのジャックの形状と異なっていてもよい。
【００１８】
個別機能装置３０は拡張装置２０に接続され、中央情報表示装置１０と協働して動作することにより中央情報表示装置１０の機能を拡張する。個別機能装置３０は、後述のようにＵＳＢデバイスコントローラ３０１Ａのような汎用シリアル通信バスのデバイスコントローラを含んで構成されるが、この構成は個別機能装置３０が実現しようとする機能によって異なる。
【００１９】
以下、個別機能装置３０の具体例を説明する。個別機能装置３０は以下の具体例に限られるものではない。
【００２０】
図２は、中央情報表示装置１０のナビゲーション機能を拡張するための個別機能装置３０の例を示すブロック図である。図２に示すように、ナビゲーション機能拡張用個別機能装置は、図２（ａ）に示すＧＰＳアンテナモジュール３０１と、図２（ｂ）に示すナビゲーションモジュール３０２とを備える。
【００２１】
ＧＰＳアンテナモジュール３０１は、信号を受信するアンテナ３０１Ｄと、アンテナ３０１Ｄに接続し、受信した信号を処理する高周波回路３０１Ｃと、高周波回路３０１Ｃが処理した信号から位置情報を生成するＧＰＳコントローラ３０１Ｂと、ＧＰＳコントローラ３０１Ｂの動作を制御し、拡張装置２０のＵＳＢ  ＨＵＢ２０１に接続するＵＳＢデバイスコントローラ３０１Ａとを備える。
【００２２】
ナビゲーションモジュール３０２は、地図に関するデータであるマップデータを格納する記憶装置であるｅＳＤ３０２Ｂ１と、ナビゲーションを実行するソフトウエアであるナビエンジンソフトを格納する記憶装置であるｅＳＤ３０２Ｂ２と、ユーザとナビゲーション機能拡張用個別機能装置とのインターフェースとして機能するユーザインターフェースソフトを格納する記憶装置であるｅＳＤ３０２Ｂ３とを備える。
【００２３】
ここで、ｅＳＤ（ｅｍｂｅｄｄｅｄ  Ｓｅｃｕｒｅ  Ｄｉｇｉｔａｌ  Ｍｅｍｏｒｙ：組み込み型ＳＤカードメモリ）について説明する。ｅＳＤは秘匿領域を有するＮＡＮＤ型フラッシュメモリである。このｅＳＤは、必要に応じて音楽データや地図データや有償のアプリケーションデータ等の著作権保護の必要な暗号化されたデータと、このデータの暗号キーとを格納することができる。必要に応じて、暗号化されていないデータを格納することもできる。
【００２４】
なお、図２（ｂ）には複数のｅＳＤが示されているが、ナビゲーションモジュール３０２は一つのｅＳＤだけを備えてこれにマップデータとナビエンジンソフトとユーザインターフェースソフトを格納するように構成することもできる。
【００２５】
ナビゲーションモジュール３０２は、さらにこれらのｅＳＤを制御し、拡張装置２０のＵＳＢ  ＨＵＢ２０１に接続するＵＳＢデバイスコントローラ３０２Ａを備える。
【００２６】
このナビゲーション機能拡張用個別機能装置は、ＧＰＳアンテナモジュール３０１と、ナビゲーションモジュール３０２とを別体に構成した。このため、各モジュールの大きさを小さくすることが可能となるという効果がある。
【００２７】
図３は一体型ナビゲーション機能拡張用個別機能装置の構成を示すブロック図である。図３に示すように、ＧＰＳアンテナモジュールを併せ持つナビゲーションモジュールである一体型ナビゲーション機能拡張用個別機能装置は、ｅＳＤ３０２Ｂ１と、ｅＳＤ３０２Ｂ２と、ユーザインターフェースソフトを格納するｅＳＤ３０３Ｂ３と、ＧＰＳコントローラ３０１Ｂと、高周波回路３０１Ｃとアンテナ３０１Ｄとを備える。
【００２８】
さらに、一体型ナビゲーション機能拡張用個別機能装置は、ｅＳＤ３０２Ｂ１と、ｅＳＤ３０２Ｂ２と、ｅＳＤ３０３Ｂ３と、ＧＰＳコントローラ３０１Ｂとに接続してこれらを制御し、拡張装置２０のＵＳＢ  ＨＵＢ２０１に接続するＵＳＢデバイスコントローラ３０２Ａを備える。
【００２９】
この一体型ナビゲーション機能拡張用個別機能装置は、ＧＰＳアンテナモジュールとナビゲーションモジュールとを一体に構成した。このため、設置操作、撤去操作が簡便であるという効果がある。
【００３０】
図４は、中央情報表示装置１０のオーディオビジュアル機能を拡張する個別機能装置３０であるＡＶモジュール３０４の構成を示すブロック図である。図４に示すように、ＡＶモジュール３０４は、音楽やビデオなどの楽曲データを格納するｅＳＤ３０４Ｂ１と、楽曲データをデコードするソフトウエアであるデコードエンジンソフトウエアを格納するｅＳＤ３０４Ｂ２と、ユーザとＡＶモジュール３０４とのインターフェースとして機能するユーザインターフェースソフトを格納する記憶装置であるｅＳＤ３０４Ｂ３と、これらのｅＳＤを制御し、拡張装置２０のＵＳＢ  ＨＵＢ２０１に接続するＵＳＢデバイスコントローラ３０２Ａを備える。
【００３１】
なお、図４には複数のｅＳＤが示されているが、ＡＶモジュール３０４は一つのｅＳＤだけを備えてこれに楽曲データとデコードエンジンソフトとユーザインターフェースソフトを格納するように構成することもできる。
【００３２】
このＡＶモジュール３０４は、パソコンやオーディオ機器などの上位機種に接続し、これらの上位機種から楽曲データやデコードエンジンソフトを格納するように構成することもできるため、任意の楽曲を車内で楽しむことができるという効果がある。
【００３３】
図５は、中央情報表示装置１０のテレビジョン受信機能を拡張する個別機能装置３０であるワンセグ機能拡張用個別機能装置の構成を示すブロック図である。図５に示すように、ワンセグ機能拡張用個別機能装置は、図５（ａ）に示すワンセグアンテナモジュール３０５と、図５（ｂ）に示すワンセグモジュール３０６とを備える。
【００３４】
ワンセグアンテナモジュール３０５は、テレビジョン信号を受信するアンテナ３０５Ｄと、受信した信号を処理する高周波回路３０５Ｃと、処理した高周波信号から任意のチャンネルのテレビジョン信号を選択するワンセグチューナー３０５Ｂと、このワンセグチューナー３０５Ｂを制御し、拡張装置２０のＵＳＢ  ＨＵＢ２０１に接続するＵＳＢデバイスコントローラ３０１Ａとを備える。
【００３５】
ワンセグモジュール３０６は、ワンセグチューナー３０５Ｂが選択したチャンネルのテレビジョン信号からＬＣＤ１０１に表示させる画像データとスピーカから再生する音声データと生成する機能を実行するソフトウエアであるワンセグアプリケーションソフトを格納する記憶装置であるｅＳＤ３０６Ｂ１と、ユーザとワンセグ機能拡張用個別機能装置とのインターフェースとして機能するユーザインターフェースソフトを格納する記憶装置であるｅＳＤ３０６Ｂ２と、これらのｅＳＤを制御し、拡張装置２０のＵＳＢ  ＨＵＢ２０１に接続するＵＳＢデバイスコントローラ３０２Ａを備える。
【００３６】
なお、図５（ｂ）には複数のｅＳＤが示されているが、ワンセグモジュール３０６は一つのｅＳＤだけを備えてこれにワンセグアプリケーションソフトとユーザインターフェースソフトを格納するように構成することもできる。
【００３７】
このワンセグ機能拡張用個別機能装置は、車内でテレビジョン映像を楽しむことができるという効果がある。
【００３８】
図６は、中央情報表示装置１０の動作を表すフローチャートである。図６に示すように、ステップＳ１０１において、中央情報表示装置１０はＵＳＢポートに新たに接続があったかを判定する。中央情報表示装置１０は新たに接続を認識した場合、ステップＳ１０２に進み、新たな接続を認識しない場合ステップＳ１０１に戻る。
【００３９】
ステップＳ１０２において、中央情報表示装置１０は個別機能装置３０のｅＳＤからユーザインターフェースソフトを読みだし、中央情報表示装置１０のＲＡＭ１０３などのメモリに展開する。
【００４０】
ステップＳ１０３において、中央情報表示装置１０は展開したユーザインターフェースソフトから装着された個別機能装置を識別する。
【００４１】
ステップＳ１０４において、中央情報表示装置１０は個別機能装置３０のｅＳＤからアプリケーションソフトウエアを読みだして実行し、ステップＳ１０１に戻る。
【００４２】
以下、各個別機能装置３０毎の動作について説明する。ナビゲーション機能拡張用個別機能装置が拡張装置２０に装着された場合、中央情報表示装置１０は上述した図６のフローに従い、個別機能装置の識別と、アプリケーションソフトであるナビエンジンソフトの読みだしと実行を行う。
【００４３】
中央情報表示装置１０は、ＧＰＳアンテナモジュール３０１から位置情報を読み込み、ｅＳＤ３０２Ｂ１からマップデータを読み込み、メモリに格納する。中央情報表示装置１０はナビエンジンソフトを実行し、ナビエンジンソフトの指示に従ってメモリに格納した位置情報とマップデータを読みだしてナビゲーション機能を実現する。
【００４４】
一体型ナビゲーションモジュール３０３もこの動作に従って動作する。
【００４５】
ＡＶモジュール３０４が拡張装置２０に装着された場合、中央情報表示装置１０は上述した図６のフローに従い、個別機能装置の識別と、アプリケーションソフトであるデコードエンジンソフトの読みだしと実行を行う。
【００４６】
中央情報表示装置１０はデコードエンジンソフトの指示に従い、ｅＳＤ３０４Ｂ１から楽曲データを読みだし、メモリに格納する。中央情報表示装置１０はデコードエンジンソフトの指示に従ってメモリに格納した楽曲データを読みだしてデコードし、ＬＣＤ１０１に映像を表示し、スピーカから音声を再生してＡＶ機能を実現する。
【００４７】
ワンセグ機能拡張用個別機能装置が拡張装置２０に装着された場合、中央情報表示装置１０は上述した図６のフローに従い、個別機能装置の識別と、アプリケーションソフトであるワンセグアプリケーションソフトの読みだしと実行を行う。
【００４８】
中央情報表示装置１０はワンセグアプリケーションソフトの指示に従い、ワンセグモジュール３０６からの信号から映像信号と音声信号を生成し、ＬＣＤ１０１に映像を表示し、スピーカから音声を再生してテレビジョン受信機能を実現する。
【００４９】
以上述べたように、本実施形態の車載用表示装置は、中央情報表示装置１０と、拡張装置２０と、個別機能装置３０とを備える。このため、中央情報表示装置１０を拡張装置２２と別体に構成することにより中央情報表示装置１０の価格を低く抑えることが可能となり、ユーザは必要な機能を選択して拡張することが可能となるという効果がある。
【００５０】
（第２の実施形態）
続いて、本発明の車載用表示装置の第２の実施形態について説明する。本実施形態においては、個別機能装置３０の構成及び動作は第１の実施形態における個別機能装置３０の構成及び動作と同様であるため、説明を省略する。
【００５１】
図７は、本実施形態の車載用表示装置の概要を表す構成図である。図７に示すように、本実施形態の車載用表示装置は中央情報表示装置１１と、拡張装置２１と、個別機能装置３０とを備える。
【００５２】
中央情報表示装置１１は予め自動車などのフロントパネルに組み込まれていてもよく、また、フロントパネルとは別体に構成されて後から自動車などに設置されてもよい。中央情報表示装置１１は、ＬＣＤ１０１を備える。このＬＣＤ１０１は拡張装置２１の高性能ＣＰＵ１０２からのＶＧＡ信号を入力して表示画面に映像を表示する。ＬＣＤ１０１にはタッチパネルが設けられており、このタッチパネルからの入力は拡張装置２１の高性能ＣＰＵ１０２に入力する。
【００５３】
拡張装置２１は、高性能ＣＰＵ１０２と、記憶装置であるＲＡＭ１０３及びＲＯＭ１０４と、汎用シリアル通信バスであるＵＳＢ（ユニバーサルシリアルバス）を制御するＵＳＢホストコントローラ１０５と、著作権保護可能なＳＤカードメモリを制御するＳＤＳＤホストコントローラ１０６と、ＵＳＢ  ＨＵＢ２０１と、を備える。
【００５４】
高性能ＣＰＵ１０２は、個別機能装置３０の各種アプリケーションを実行できる程度な性能を有する。ＲＡＭ１０３はＳＤＲＡＭを用いることができる。ＲＯＭ１０４はＦｌａｓｈ  ＲＯＭを用いることができる。ＵＳＢホストコントローラ１０５はＵＳＢ以外の汎用シリアル通信バスのコントローラでもよい。ＵＳＢ  ＨＵＢ２０１はＵＳＢホストコントローラ１０５に接続されている。ＵＳＢ  ＨＵＢ２０１は複数のＨＵＢポートを備える。なお、拡張装置２１は中央情報表示装置１１と一体に構成されていても別体に構成されていてもよい。
【００５５】
本実施形態における拡張装置２１の動作は、第１の実施形態の中央情報表示装置１０の動作と同様であるため、図６を用いて説明する。
【００５６】
図６に示すように、ステップＳ１０１において、拡張装置２１はＵＳＢポートに新たに接続があったかを判定する。拡張装置２１は新たに接続を認識した場合、ステップＳ１０２に進み、新たな接続を認識しない場合ステップＳ１０１に戻る。
【００５７】
ステップＳ１０２において、拡張装置２１は個別機能装置３０のｅＳＤからユーザインターフェースソフトを読みだし、拡張装置２１のＲＡＭ１０３などのメモリに展開する。
【００５８】
ステップＳ１０３において、拡張装置２１は展開したユーザインターフェースソフトから装着された個別機能装置を識別する。
【００５９】
ステップＳ１０４において、拡張装置２１は個別機能装置３０のｅＳＤからアプリケーションソフトウエアを読みだして実行し、ステップＳ１０１に戻る。
【００６０】
以下、各個別機能装置３０毎の動作について説明する。ナビゲーション機能拡張用個別機能装置が拡張装置２１に装着された場合、拡張装置２１は上述した図６のフローに従い、個別機能装置の識別と、アプリケーションソフトであるナビエンジンソフトの読みだしと実行を行う。
【００６１】
拡張装置２１は、ＧＰＳアンテナモジュール３０１から位置情報を読み込み、ｅＳＤ３０２Ｂ１からマップデータを読み込み、メモリに格納する。拡張装置２１はナビエンジンソフトを実行し、ナビエンジンソフトの指示に従ってメモリに格納した位置情報とマップデータを読みだし、映像を中央情報表示装置１１のＬＣＤ１０１に表示してナビゲーション機能を実現する。
【００６２】
一体型ナビゲーションモジュール３０３もこの動作に従って動作する。
【００６３】
ＡＶモジュール３０４が拡張装置２１に装着された場合、拡張装置２１は上述した図６のフローに従い、個別機能装置の識別と、アプリケーションソフトであるデコードエンジンソフトの読みだしと実行を行う。
【００６４】
拡張装置２１はデコードエンジンソフトの指示に従い、ｅＳＤ３０４Ｂ１から楽曲データを読みだし、メモリに格納する。拡張装置２１はデコードエンジンソフトの指示に従ってメモリに格納した楽曲データを読みだしてデコードし、中央情報表示装置１１のＬＣＤ１０１に映像を表示し、スピーカから音声を再生してＡＶ機能を実現する。
【００６５】
ワンセグ機能拡張用個別機能装置が拡張装置２１に装着された場合、拡張装置２１は上述した図６のフローに従い、個別機能装置の識別と、アプリケーションソフトであるワンセグアプリケーションソフトの読みだしと実行を行う。
【００６６】
拡張装置２１はワンセグアプリケーションソフトの指示に従い、ワンセグモジュール３０６からの信号から映像信号と音声信号を生成し、中央情報表示装置１１のＬＣＤ１０１に映像を表示し、スピーカから音声を再生してテレビジョン受信機能を実現する。
【００６７】
以上述べたように、本実施形態の車載用表示装置は、中央情報表示装置１１がＬＣＤ１０１を備え、拡張装置２１が高性能ＣＰＵ１０２などの主要部品を備える。このため、中央情報表示装置１１の製造コストが低く抑えられ、拡張機能を全く望まないユーザの経済的負担を最小限に留めることができるという効果がある。
【００６８】
（第３の実施形態）
続いて、本発明の車載用表示装置の第３の実施形態について説明する。本実施形態においては、中央情報表示装置１１の構成及び動作は第２の実施形態における中央情報表示装置１１の構成及び動作と同様であるため、説明を省略する。
【００６９】
図８は、本実施形態の車載用表示装置の概要を表す構成図である。図８に示すように、本実施形態の車載用表示装置は中央情報表示装置１１と、拡張装置２２と、個別機能装置３２とを備える。
【００７０】
拡張装置２２は、低性能ＣＰＵ７０２と、記憶装置であるＲＡＭ１０３及びＲＯＭ１０４と、汎用シリアル通信バスであるＵＳＢを制御するＵＳＢホストコントローラ１０５と、ＵＳＢ  ＨＵＢ２０１と、を備える。
【００７１】
低性能ＣＰＵ７０２は、個別機能装置３２が出力した信号を中央情報表示装置１１に出力し、中央情報表示装置１１から入力した信号を個別機能装置３２に出力し、拡張装置２２が有する各装置を制御する程度の限られた性能を有する。
【００７２】
ＲＡＭ１０３はＳＤＲＡＭを用いることができる。ＲＯＭ１０４はＦｌａｓｈ  ＲＯＭを用いることができる。ＵＳＢホストコントローラ１０５はＵＳＢ以外の汎用シリアル通信バスのコントローラでもよい。ＵＳＢ  ＨＵＢ２０１はＵＳＢホストコントローラ１０５に接続されている。ＵＳＢ  ＨＵＢ２０１は複数のＨＵＢポートを備える。なお、拡張装置２２は中央情報表示装置１１と一体に構成されていても別体に構成されていてもよい。
【００７３】
図９は、中央情報表示装置１１のナビゲーション機能を拡張するための個別機能装置３２の例を示すブロック図である。図９に示すように、ナビゲーション機能拡張用個別機能装置は、ＧＰＳアンテナモジュール３０１と、ナビゲーションモジュール３０７とを備える。
【００７４】
ＧＰＳアンテナモジュール３０１は、信号を受信するアンテナ３０１Ｄと、アンテナ３０１Ｄに接続し、受信した信号を処理する高周波回路３０１Ｃと、高周波回路３０１Ｃが処理した信号から位置情報を生成するＧＰＳコントローラ３０１Ｂと、ＧＰＳコントローラ３０１Ｂの動作を制御し、後述するナビゲーションモジュール３０７のＵＳＢホストコントローラ３０７Ｂに接続するＵＳＢデバイスコントローラ３０１Ａとを備える。
【００７５】
ナビゲーションモジュール３０７は、アプリケーションソフトを実行するのに十分な性能を有する高性能ＣＰＵ３０７Ａと、この高性能ＣＰＵ３０７Ａに接続し、著作権保護可能なＳＤカードメモリを制御するＳＤＳＤホストコントローラ１０６と、汎用シリアル通信バスであるＵＳＢを制御するＵＳＢホストコントローラ３０７Ｂと、を備える。
【００７６】
さらに、ナビゲーションモジュール３０７は、地図に関するデータであるマップデータを格納する記憶装置であるｅＳＤ３０２Ｂ１と、ナビゲーションを実行するアプリケーションソフトであるナビエンジンソフトを格納する記憶装置であるｅＳＤ３０２Ｂ２と、ユーザとナビゲーション機能拡張用個別機能装置とのインターフェースとして機能するユーザインターフェースソフトを格納する記憶装置であるｅＳＤ３０５Ｂ３と、ＯＳ（オペレーションシステム）を格納する記憶装置であるＲＯＭ３０２Ｂ４と、記憶装置であるＲＡＭ３０２Ｂ５と、を備える。
【００７７】
なお、図９には複数のｅＳＤが示されているが、ナビゲーションモジュール３０７は一つのｅＳＤだけを備えてこれにマップデータとナビエンジンソフトとユーザインターフェースソフトを格納するように構成することもできる。
【００７８】
ナビゲーションモジュール３０７は、さらにナビゲーションモジュール３０７が有するこれらの各装置を制御し、拡張装置２２のＵＳＢ  ＨＵＢ２０１に接続するＵＳＢデバイスコントローラ３０２Ａを備える。
【００７９】
このナビゲーション機能拡張用個別機能装置は、ＧＰＳアンテナモジュール３０１と、ナビゲーションモジュール３０７とを別体に構成した。このため、各モジュールの大きさを小さくすることが可能となるという効果がある。
【００８０】
図１０は一体型のナビゲーション機能拡張用個別機能装置である一体型ナビゲーションモジュール３０８の構成を示すブロック図である。図１０に示すように、ＧＰＳアンテナモジュールを併せ持つナビゲーションモジュールである一体型ナビゲーションモジュール３０８は、アプリケーションソフトを実行するのに十分な性能を有する高性能ＣＰＵ３０７Ａと、この高性能ＣＰＵ３０７Ａに接続し、著作権保護可能なＳＤカードメモリを制御するＳＤＳＤホストコントローラ１０６と、を備える。
【００８１】
さらに、一体型ナビゲーションモジュール３０８は、アンテナ３０１Ｄと、アンテナ３０１Ｄに接続し、受信した信号を処理する高周波回路３０１Ｃと、高周波回路３０１Ｃが処理した信号から位置情報を生成するＧＰＳコントローラ３０１Ｂと、を備える。
【００８２】
さらに、一体型ナビゲーションモジュール３０８は、地図に関するデータであるマップデータを格納する記憶装置であるｅＳＤ３０２Ｂ１と、ナビゲーションを実行するアプリケーションソフトであるナビエンジンソフトを格納する記憶装置であるｅＳＤ３０２Ｂ２と、ユーザとナビゲーション機能拡張用個別機能装置とのインターフェースとして機能するユーザインターフェースソフトを格納する記憶装置であるｅＳＤ３０６Ｂ３と、ＯＳを格納する記憶装置であるＲＯＭ３０２Ｂ４と、記憶装置であるＲＡＭ３０２Ｂ５と、を備える。
【００８３】
なお、図１０には複数のｅＳＤが示されているが、一体型ナビゲーションモジュール３０８は一つのｅＳＤだけを備えてこれにマップデータとナビエンジンソフトとユーザインターフェースソフトを格納するように構成することもできる。
【００８４】
一体型ナビゲーションモジュール３０８は、さらにナビゲーションモジュール３０７が有するこれらの各装置を制御し、拡張装置２２のＵＳＢ  ＨＵＢ２０１に接続するＵＳＢデバイスコントローラ３０２Ａを備える。
【００８５】
図１１は中央情報表示装置１１のオーディオビジュアル機能を拡張する個別機能装置３０であるＡＶモジュール３０９の構成を示すブロック図である。図１１に示すように、ＡＶモジュール３０９は、アプリケーションソフトを実行するのに十分な性能を有する高性能ＣＰＵ３０７Ａと、この高性能ＣＰＵ３０７Ａに接続し、著作権保護可能なＳＤカードメモリを制御するＳＤＳＤホストコントローラ１０６と、を備える。
【００８６】
さらに、ＡＶモジュール３０９は、音楽やビデオなどの楽曲データを格納するｅＳＤ３０４Ｂ１と、楽曲データをデコードするソフトウエアであるデコードエンジンソフトウエアを格納するｅＳＤ３０４Ｂ２と、ユーザとＡＶモジュール３０９とのインターフェースとして機能するユーザインターフェースソフトを格納する記憶装置であるｅＳＤ３０９Ｂ３と、ＯＳを格納する記憶装置であるＲＯＭ３０２Ｂ４と、記憶装置であるＲＡＭ３０２Ｂ５と、を備える。
【００８７】
なお、図１１には複数のｅＳＤが示されているが、ＡＶモジュール３０９は一つのｅＳＤだけを備えてこれに楽曲データとデコードエンジンソフトとユーザインターフェースソフトを格納するように構成することもできる。
【００８８】
ＡＶモジュール３０９は、さらにＡＶモジュール３０９が有するこれらの各装置を制御し、拡張装置２２のＵＳＢ  ＨＵＢ２０１に接続するＵＳＢデバイスコントローラ３０２Ａを備える。
【００８９】
このＡＶモジュール３０９は、パソコンやオーディオ機器などの上位機種に接続し、これらの上位機種から楽曲データやデコードエンジンソフトを格納するように構成することもできるため、任意の楽曲を車内で楽しむことができるという効果がある。
【００９０】
図１２は、中央情報表示装置１１のテレビジョン受信機能を拡張する個別機能装置３２であるワンセグ機能拡張用個別機能装置の構成を示すブロック図である。図１２に示すように、ワンセグ機能拡張用個別機能装置は、ワンセグアンテナモジュール３０５と、ワンセグモジュール３１０とを備える。
【００９１】
ワンセグアンテナモジュール３０５は、テレビジョン信号を受信するアンテナ３０５Ｄと、受信した信号を処理する高周波回路３０５Ｃと、処理した高周波信号から任意のチャンネルのテレビジョン信号を選択するワンセグチューナー３０５Ｂと、このワンセグチューナー３０５Ｂを制御し、後述するワンセグモジュール３１０のＵＳＢホストコントローラ３０７Ｂに接続するＵＳＢデバイスコントローラ３０１Ａとを備える。
【００９２】
ワンセグモジュール３１０は、アプリケーションソフトを実行するのに十分な性能を有する高性能ＣＰＵ３０７Ａと、この高性能ＣＰＵ３０７Ａに接続し、著作権保護可能なＳＤカードメモリを制御するＳＤＳＤホストコントローラ１０６と、汎用シリアル通信バスであるＵＳＢを制御するＵＳＢホストコントローラ３０７Ｂと、を備える。
【００９３】
ワンセグモジュール３１０は、ワンセグチューナー３０５Ｂが選択したチャンネルのテレビジョン信号からＬＣＤ１０１に表示させる画像データとスピーカから再生する音声データと生成する機能を実行するソフトウエアであるワンセグアプリケーションソフトを格納する記憶装置であるｅＳＤ３０６Ｂ１と、ユーザとワンセグ機能拡張用個別機能装置とのインターフェースとして機能するユーザインターフェースソフトを格納する記憶装置であるｅＳＤ３１０Ｂ２と、ＯＳを格納する記憶装置であるＲＯＭ３０２Ｂ４と、記憶装置であるＲＡＭ３０２Ｂ５と、を備える。
【００９４】
なお、図１２には複数のｅＳＤが示されているが、ワンセグモジュール３１０は一つのｅＳＤだけを備えてこれにワンセグアプリケーションソフトとユーザインターフェースソフトを格納するように構成することもできる。
【００９５】
ワンセグモジュール３１０は、さらにワンセグモジュール３１０が有するこれらの各装置を制御し、拡張装置２２のＵＳＢ  ＨＵＢ２０１に接続するＵＳＢデバイスコントローラ３０２Ａを備える。
【００９６】
このワンセグ機能拡張用個別機能装置は、車内でテレビジョン映像を楽しむことができるという効果がある。
【００９７】
本実施形態における拡張装置２２の動作は、第１の実施形態の中央情報表示装置１０の動作と同様であるため、図６を用いて説明する。
【００９８】
図６に示すように、ステップＳ１０１において、拡張装置２２はＵＳＢポートに新たに接続があったかを判定する。拡張装置２２は新たに接続を認識した場合、ステップＳ１０２に進み、新たな接続を認識しない場合ステップＳ１０１に戻る。
【００９９】
ステップＳ１０２において、拡張装置２２は個別機能装置３２のｅＳＤからユーザインターフェースソフトを読みだし、拡張装置２２のＲＡＭ１０３などのメモリに展開する。
【０１００】
ステップＳ１０３において、拡張装置２２は展開したユーザインターフェースソフトから装着された個別機能装置を識別する。
【０１０１】
ステップＳ１０４において、拡張装置２２は個別機能装置３２のｅＳＤからアプリケーションソフトウエアを読みだして実行し、ステップＳ１０１に戻る。このステップＳ１０４において読みだされるアプリケーションソフトウエアは、低性能ＣＰＵ７０２が実行できる程度のものである。
【０１０２】
以下、各個別機能装置３２毎の動作について説明する。ナビゲーション機能拡張用個別機能装置が拡張装置２２に装着された場合、ナビゲーションモジュール３０７はＲＯＭ３０２Ｂ４からＯＳを読みだしてＲＡＭ３０２Ｂ５に展開する。また、ナビゲーションモジュール３０７はｅＳＤ３０２Ｂ２からナビエンジンソフトを読み出してＲＡＭ３０２Ｂ５に展開する。
【０１０３】
拡張装置２２は上述した図６のフローに従い、個別機能装置の識別と、アプリケーションソフトであるナビエンジンソフトの読みだしと実行を行う。ナビゲーションモジュール３０７は高性能ＣＰＵ３０７Ａによりナビエンジンソフトを実行する。
【０１０４】
ナビゲーションモジュール３０７は、ＧＰＳアンテナモジュール３０１から位置情報を読み込み、ｅＳＤ３０２Ｂ１からマップデータを読み込み、メモリに格納する。ナビゲーションモジュール３０７はナビエンジンソフトを実行し、ナビエンジンソフトの指示に従ってメモリに格納した位置情報とマップデータを読みだし、映像を中央情報表示装置１１のＬＣＤ１０１に表示してナビゲーション機能を実現する。
【０１０５】
一体型ナビゲーションモジュール３０８もこの動作に従って動作する。
【０１０６】
ＡＶモジュール３０９が拡張装置２２に装着された場合、ＡＶモジュール３０９はＲＯＭ３０２Ｂ４からＯＳを読みだしてＲＡＭ３０２Ｂ５に展開する。また、ＡＶモジュール３０９はｅＳＤ３０４Ｂ２からデコードエンジンソフトを読み出してＲＡＭ３０２Ｂ５に展開する。
【０１０７】
拡張装置２２は上述した図６のフローに従い、個別機能装置の識別と、アプリケーションソフトであるデコードエンジンソフトを読みだしと実行を行う。ＡＶモジュール３０９は高性能ＣＰＵ３０７Ａによりデコードエンジンソフトを実行する。
【０１０８】
ＡＶモジュール３０９はデコードエンジンソフトの指示に従い、ｅＳＤ３０４Ｂ１から楽曲データを読みだし、メモリに格納する。ＡＶモジュール３０９はデコードエンジンソフトの指示に従ってメモリに格納した楽曲データを読みだしてデコードし、中央情報表示装置１１のＬＣＤ１０１に映像を表示し、スピーカから音声を再生してＡＶ機能を実現する。
【０１０９】
ワンセグ機能拡張用個別機能装置が拡張装置２２に装着された場合、ワンセグモジュール３１０はＲＯＭ３０２Ｂ４からＯＳを読みだしてＲＡＭ３０２Ｂ５に展開する。また、ワンセグモジュール３１０はｅＳＤ３０６Ｂ１からワンセグアプリケーションソフトを読み出してＲＡＭ３０２Ｂ５に展開する。
【０１１０】
拡張装置２２は上述した図６のフローに従い、個別機能装置の識別と、アプリケーションソフトであるワンセグアプリケーションソフトの読みだしと実行を行う。ワンセグモジュール３１０は高性能ＣＰＵ３０７Ａによりワンセグアプリケーションソフトを実行する。
【０１１１】
ワンセグモジュール３１０はワンセグアプリケーションソフトの指示に従い、ワンセグモジュール３０５からの信号から映像信号と音声信号を生成し、中央情報表示装置１１のＬＣＤ１０１に映像を表示し、スピーカから音声を再生してテレビジョン受信機能を実現する。
【０１１２】
以上述べたように、本実施形態の車載用表示装置は、中央情報表示装置１１がＬＣＤ１０１を備え、拡張装置２２が低性能ＣＰＵ７０２などの装置を備え、個別機能装置３２が高性能ＣＰＵ３０７Ａなどの主要装置を備える。このため、中央情報表示装置１１及び拡張装置２２の製造コストが低く抑えられ、拡張装置２２が中央情報表示装置１１とともに自動車に設置されても、拡張機能を全く望まないユーザの経済的負担を低く抑えることができるという効果がある。
【０１１３】
（車載用表示装置の設置位置の実施形態）
次に、本実施形態の車載用表示装置の自動車における設置位置の実施形態について述べる。図１３は、フロントガラス付近に拡張装置２２を配置する例を示す図である。図１３に示すように、中央情報表示装置１１はフロントパネル１００の前面に配置される。
【０１１４】
拡張装置２２はフロントパネルの上面、すなわちフロントパネル１００のフロントガラスに対向する面に設置される。
【０１１５】
このように配置することにより、ＧＰＳアンテナモジュール３０１やワンセグアンテナモジュール３０５などの電波を受信する個別機能装置３２がより電波を受信しやすくなるという効果がある。
【０１１６】
図１４は、中央情報表示装置１１の上部に拡張装置２２を配置する例を示す図である。図１４に示すように、中央情報表示装置１１はフロントパネル１００の前面に配置される。
【０１１７】
拡張装置２２は、中央情報表示装置１１の上部、すなわちＬＣＤ１０１の上方であって、コンソール２００に収まる位置に配置される。
【０１１８】
このように配置されることにより、個別機能装置３２が電波を受信しやすく、しかもコンソールの組み立てが容易になるという効果がある。
【０１１９】
図１５は、中央情報表示装置１１と拡張装置２２とを一体に構成する例を示す図である。図１５に示すように、中央情報表示装置１１はフロントパネル１００の前面に配置される。
【０１２０】
拡張装置２２は中央情報表示装置１１と一体に構成される。拡張装置２２は中央情報表示装置１１のＬＣＤ１０１と同じ面、望ましくはＬＣＤ１０１の上方に配置される。
【０１２１】
このように配置することによりユーザが個別機能装置３２を容易に抜き差しできるという効果がある。
【０１２２】
以上述べたように、本実施形態の車載用表示装置は、個別機能装置をフロントパネルに設置するように拡張装置を配置した。このため、個別機能装置が電波を受信しやすく、しかも個別機能装置の着脱操作が行いやすい車載用表示装置を提供することができるという効果がある。
【図面の簡単な説明】
【０１２３】
【図１】本発明の車載用表示装置の第１の実施形態における構成を示す概要図である。
【図２】中央情報表示装置１０のナビゲーション機能を拡張するための個別機能装置３０の例を示すブロック図である。
【図３】一体型ナビゲーション機能拡張用個別機能装置の構成を示すブロック図である。
【図４】中央情報表示装置１０のオーディオビジュアル機能を拡張する個別機能装置３０であるＡＶモジュール３０４の構成を示すブロック図である。
【図５】中央情報表示装置１０のテレビジョン受信機能を拡張する個別機能装置３０であるワンセグ機能拡張用個別機能装置の構成を示すブロック図である。
【図６】中央情報表示装置１０の動作を表すフローチャートである。
【図７】第２の実施形態の車載用表示装置の概要を表す構成図である。
【図８】第３の実施形態の車載用表示装置の概要を表す構成図である。
【図９】中央情報表示装置１１のナビゲーション機能を拡張するための個別機能装置３２の例を示すブロック図である。
【図１０】一体型のナビゲーション機能拡張用個別機能装置である一体型ナビゲーションモジュール３０８の構成を示すブロック図である。
【図１１】中央情報表示装置１１のオーディオビジュアル機能を拡張する個別機能装置３０であるＡＶモジュール３０９の構成を示すブロック図である。
【図１２】中央情報表示装置１１のテレビジョン受信機能を拡張する個別機能装置３２であるワンセグ機能拡張用個別機能装置の構成を示すブロック図である。
【図１３】フロントガラス付近に拡張装置２２を配置する例を示す図である。
【図１４】中央情報表示装置１１の上部に拡張装置２２を配置する例を示す図である。
【図１５】中央情報表示装置１１と拡張装置２２とを一体に構成する例を示す図である。
【符号の説明】
【０１２４】
１０，１１：中央情報表示装置、
２０，２１，２２：拡張装置、
３０，３２：個別機能装置、
３０１：ＧＰＳアンテナモジュール、
３０２，３０７：ナビゲーションモジュール、
３０３，３０８：一体型ナビゲーションモジュール、
３０４，３０９：ＡＶモジュール、
３０５：ワンセグアンテナモジュール、
３０６，３１０：ワンセグモジュール。
【図１】
2010058643.tif 000003
【図２】
2010058643.tif 000004
【図３】
2010058643.tif 000005
【図４】
2010058643.tif 000006
【図５】
2010058643.tif 000007
【図６】
2010058643.tif 000008
【図７】
2010058643.tif 000009
【図８】
2010058643.tif 000010
【図９】
2010058643.tif 000011
【図１０】
2010058643.tif 000012
【図１１】
2010058643.tif 000013
【図１２】
2010058643.tif 000014
【図１３】
2010058643.tif 000015
【図１４】
2010058643.tif 000016
【図１５】
2010058643.tif 000017